(57)【要約】　　【課題】　１トラックに対する読取信号へのその隣接トラックからのクロストーク量を、特別な信号を記録することなくそれらトラックに対する読取信号から適切に検出する光学式ピックアップ装置を提供する。　　【解決手段】　記録媒体上の隣接する少なくとも３トラック各々の記録信号を同時並行的に個別にかつ光学的に読み取って３トラックのうちの一端、中央及び他端のトラックに対する各読取信号値を第１、第２及び第３読取信号値として生成し、第１読取信号値が第２閾値より大きくかつ第３読取信号値が第２閾値より大きい時点に第３ゲート信号を発生し、第１読取信号値が第１閾値より小さくかつ第３読取信号値が第１閾値より小さい時点に第４ゲート信号を発生し、第３ゲート信号の発生時の第２読取信号値と第４ゲート信号の発生時の第２読取信号値との差分を第２読取信号へのクロストーク量を示す値として生成する。【選択図】　図４
2004146061.tif 000002
【特許請求の範囲】
【請求項１】
　記録媒体のトラック上に記録された信号を光学的に読み取る光学式ピックアップ装置であって、
　前記記録媒体上の隣接する少なくとも３トラック各々の記録信号を同時並行的に個別にかつ光学的に読み取って前記３トラックのうちの一端、中央及び他端のトラックに対する各読取信号値を第１、第２及び第３読取信号値として生成する信号読取手段と、
　前記第１及び第３読取信号値を個別に第１閾値及び前記第１閾値より大である第２閾値と比較する比較手段と、
　前記第１読取信号値が前記第２閾値より大きくかつ前記第３読取信号値が前記第２閾値より大きい時点に第３ゲート信号を発生する手段と、
　前記第１読取信号値が前記第１閾値より小さくかつ第３読取信号値が前記第１閾値より小さい時点に第４ゲート信号を発生する手段と、
　前記第３ゲート信号の発生時の前記第２読取信号値と前記第４ゲート信号の発生時の前記第２読取信号値との差分を前記第２読取信号へのクロストーク量を示す値として生成するクロストーク量検出手段と、を有することを特徴とする光学式ピックアップ装置。
【請求項２】
　前記信号読取手段は、前記クロストーク量検出手段の出力値に応じて各読取信号のクロストーク量を補正して出力することを特徴とする請求項１記載の光ピックアップ装置。
【請求項３】
　前記クロストーク量検出手段は、前記第３ゲート信号に応じて前記第２読取信号値を保持出力する第３サンプルホールド回路と、前記第２読取信号を反転させるインバータと、前記第４ゲート信号に応じて前記インバータの出力信号値を保持出力する第４サンプルホールド回路と、前記第３サンプルホールド回路の出力信号を積分した値と前記第４サンプルホールド回路の出力信号を積分した値とを加算して前記クロストーク量を示す値を得る積分加算回路と、を有することを特徴とする請求項１記載の光ピックアップ装置。
【請求項４】
　前記クロストーク量検出手段は、前記第３ゲート信号に応じて前記第２読取信号値を保持出力する第３サンプルホールド回路と、前記第２読取信号を反転させるインバータと、前記第４ゲート信号に応じて前記インバータの出力信号値を保持出力する第４サンプルホールド回路と、前記第３サンプルホールド回路の出力信号と前記第４サンプルホールド回路の出力信号とを加算し、その加算して得られた値を積分して前記クロストーク量を示す値を得る加算積分回路と、を有することを特徴とする請求項１記載の光ピックアップ装置。
【請求項５】
　前記クロストーク量検出手段は、前記第３ゲート信号に応じて前記第２読取信号値を保持出力する第３サンプルホールド回路と、前記第４ゲート信号に応じて前記第２読取信号値を保持出力する第４サンプルホールド回路と、前記第３サンプルホールド回路の出力信号を積分した値と前記第４サンプルホールド回路の出力信号を積分した値との差分を前記クロストーク量を示す値とする積分減算回路と、を有することを特徴とする請求項１記載の光ピックアップ装置。
【請求項６】
　前記クロストーク量検出手段は、前記第３ゲート信号に応じて前記第２読取信号値を保持出力する第３サンプルホールド回路と、前記第４ゲート信号に応じて前記第２読取信号値を保持出力する第４サンプルホールド回路と、前記第３サンプルホールド回路の出力信号と前記第４サンプルホールド回路の出力信号との差分を算出し、その差分を積分して前記クロストーク量を示す値を得る減算積分回路と、を有することを特徴とする請求項１記載の光ピックアップ装置。
【請求項７】
　記録媒体のトラック上に記録された信号を光学的に読み取る光学式ピックアップ装置であって、
　前記記録媒体上の隣接する３トラック各々の記録信号を３ビームにより同時に個別にかつ光学的に読み取って前記３トラックのうちの先行読取の一端、中央及び遅れ読取の他端のトラックに対する各読取信号値を第１、第２及び第３読取信号値として生成する信号読取手段と、
　前記第１読取信号値が第１閾値より小であるとき第５ゲート信号を発生する第１比較手段と、
　前記第１読取信号値が前記第１閾値より大である第２閾値より大であるとき第６ゲート信号を発生する第２比較手段と、
　前記第５及び第６ゲート信号を個別に遅延させる遅延手段と、
　前記遅延手段によって遅延された前記第５ゲート信号の発生時の前記第２読取信号値を保持出力する第５サンプルホールド回路と、
　前記遅延手段によって遅延された前記第６ゲート信号の発生時の前記第２読取信号値を保持出力する第６サンプルホールド回路と、
　前記第３読取信号値が前記第１閾値より小であるとき前記第５サンプルホールド回路の保持出力値を得て、前記第３読取信号値が前記第２閾値より大であるとき前記第６サンプルホールド回路の保持出力値を得る選択手段と、
　前記選択手段によって得られた前記第５及び第６サンプルホールド回路の各保持出力値の差分を前記第２読取信号へのクロストーク量を示す値として生成するクロストーク量検出手段と、を有することを特徴とする光学式ピックアップ装置。
【請求項８】
　前記クロストーク量検出手段は、前記選択手段によって得られた前記第５サンプルホールド回路の保持出力値を積分する第１積分手段と、前記選択手段によって得られた前記第６サンプルホールド回路の保持出力値を積分する第２積分手段と、前記第１及び第２積分手段の各出力信号値の差分を算出して前記クロストークのバランスを示す値を得る減算手段と、を有することを特徴とする請求項７記載の光ピックアップ装置。
【請求項９】
　前記クロストーク量検出手段は、前記選択手段によって得られた前記第５及び第６サンプルホールド回路の各保持出力値を差分を算出する減算手段と、前記減算手段の出力信号を積分して前記クロストークのバランスを示す値を得る積分手段と、を有することを特徴とする請求項７記載の光ピックアップ装置。
【請求項１０】
　記録媒体のトラック上に記録された信号を光学的に読み取る光学式ピックアップ装置であって、
　前記記録媒体上の１トラックの記録信号を光学的に読み取って第１読取信号値として出力する信号読取手段と、
　前記信号読取手段から出力された前記第１読取信号値を所定の周期で記憶するメモリと、
　前記信号読取手段による現読取地点から既に読み取った側の１トラック及び２トラック分だけ隣の各読取地点に対応する各読取信号値を前記メモリに記憶された複数の前記第１読取信号値から第２及び第３読取信号値として読み出す手段と、
　前記第１及び第３読取信号値を個別に第１閾値及び前記第１閾値より大である第２閾値と比較する比較手段と、
　前記第１読取信号値が前記第２閾値より大きくかつ前記第３読取信号値が前記第２閾値より大きい時点に第３ゲート信号を発生する手段と、
　前記第１読取信号値が前記第１閾値より小さくかつ第３読取信号値が前記第１閾値より小さい時点に第４ゲート信号を発生する手段と、
　前記第３ゲート信号の発生時の前記第２読取信号値と前記第４ゲート信号の発生時の前記第２読取信号値との差分を前記第２読取信号へのクロストーク量を示す値として生成するクロストーク量検出手段と、を有することを特徴とする光学式ピックアップ装置。
【請求項１１】
　記録媒体のトラック上に記録された信号を光学的に読み取る光学式ピックアップ装置であって、
　前記記録媒体上の隣接する少なくとも３トラック各々の記録信号を同時並行的に個別にかつ光学的に読み取って前記３トラックのうちの一端、中央及び他端のトラックに対する各読取信号値を第１、第２及び第３読取信号値として生成する信号読取手段と、
　前記第１及び第３読取信号値を個別に第１閾値及び前記第１閾値より大である第２閾値と比較する比較手段と、
　前記第１読取信号値が前記第１閾値より小さい時に第１ゲート信号を発生する手段と、
　前記第１読取信号値が前記第２閾値より大きい時に第２ゲート信号を発生する手段と、
　前記第３読取信号値が前記第１閾値より小さい時に第３ゲート信号を発生する手段と、
　前記第３読取信号値が前記第２閾値より大きい時に第４ゲート信号を発生する手段と、
　前記第１ゲート信号発生時の前記第２読取信号値と、前記第２ゲート信号発生時の前記第２読取信号値との差分を前記一端のトラックから前記中央のトラックへのクロストーク量を示す値として生成する第１クロストーク量検出手段と、
　前記第３ゲート信号発生時の前記第２読取信号値と、前記第４ゲート信号発生時の前記第２読取信号値との差分を前記他端のトラックから前記中央のトラックへのクロストーク量を示す値として生成する第２クロストーク量検出手段と、を有することを特徴とする光学式ピックアップ装置。
【請求項１２】
　前記信号読取手段は、前記第１及び第２クロストーク量検出手段の出力値に応じて前記第２読取信号を補正して出力することを特徴とする請求項１１記載の光学式ピックアップ装置。
【請求項１３】
　記録媒体のトラック上に記録された信号を光学的に読み取る光学式ピックアップ装置であって、
　前記記録媒体上の隣接する３トラック各々の記録信号を３ビームにより同時に個別にかつ光学的に読み取って前記３トラックのうちの先行読取の一端、中央及び遅れ読取の他端のトラックに対する各読取信号値を第１、第２及び第３読取信号値として生成する信号読取手段と、
　前記第１及び第３読取信号値を個別に第１閾値及び前記第１閾値より大である第２閾値と比較する比較手段と、
　前記第１読取信号値が前記第１閾値より小さい時に第１ゲート信号を発生する手段と、
　前記第１読取信号値が前記第２閾値より大きい時に第２ゲート信号を発生する手段と、
　前記第３読取信号値が前記第１閾値より小さい時に第３ゲート信号を発生する手段と、
　前記第３読取信号値が前記第２閾値より大きい時に第４ゲート信号を発生する手段と、
　前記第１ゲート信号発生時の前記第２読取信号値と、前記第２ゲート信号発生時の前記第２読取信号値との差分を前記一端のトラックから前記中央のトラックへのクロストーク量を示す値として生成する第１クロストーク量検出手段と、
　前記第１ゲート信号発生時の前記第２読取信号値と、前記第２ゲート信号発生時の前記第２読取信号値との差分を前記他端のトラックから前記中央のトラックへのクロストーク量を示す値として生成する第２クロストーク量検出手段と、を有することを特徴とする光学式ピックアップ装置。
【請求項１４】
　前記信号読取手段は、前記第１及び第２クロストーク量検出手段の出力値に応じて前記第２読取信号を補正して出力することを特徴とする請求項１３記載の光学式ピックアップ装置。
【請求項１５】
　記録媒体のトラック上に記録された信号を光学的に読み取る光学式ピックアップ装置であって、
　前記記録媒体上の１トラックの記録信号を光学的に読み取って第１読取信号値として出力する信号読取手段と、
　前記信号読取手段から出力された前記第１読取信号値を所定の周期で記憶するメモリと、
　前記信号読取手段による現読取地点から既に読み取った側の１トラック及び２トラック分だけ隣の各読取地点に対応する各読取信号値を前記メモリに記憶された複数の前記第１読取信号値から第２及び第３読取信号値として読み出す読出手段と、
　前記第１及び第３読取信号値を個別に第１閾値及び前記第１閾値より大である第２閾値と比較する比較手段と、
　前記第１読取信号値が前記第１閾値より小さい時に第１ゲート信号を発生する手段と、
　前記第１読取信号値が前記第２閾値より大きい時に第２ゲート信号を発生する手段と、
　前記第３読取信号値が前記第１閾値より小さい時に第３ゲート信号を発生する手段と、
　前記第３読取信号値が前記第２閾値より大きい時に第４ゲート信号を発生する手段と、
　前記第１ゲート信号発生時の前記第２読取信号値と、前記第２ゲート信号発生時の前記第２読取信号値との差分を隣接する３トラックのうちの一端のトラックから中央のトラックへのクロストーク量を示す値として生成する第１クロストーク量検出手段と、
　前記第３ゲート信号発生時の前記第２読取信号値と、前記第４ゲート信号発生時の前記第２読取信号値との差分を前記隣接する３トラックのうちの他端のトラックから前記中央のトラックへのクロストーク量を示す値として生成する第２クロストーク量検出手段と、を有することを特徴とする光学式ピックアップ装置。
【請求項１６】
　前記読出手段は、前記第１及び第２クロストーク量検出手段の出力値に応じて前記第２読取信号を補正して出力することを特徴とする請求項１５記載の光学式ピックアップ装置。
【請求項１７】
　記録媒体のトラック上に記録された信号を光学的に読み取る光学式ピックアップ装置であって、
　前記記録媒体上の隣接する少なくとも３トラック各々の記録信号を同時並行的に個別にかつ光学的に読み取って前記３トラックのうちの一端、中央及び他端のトラックに対する各読取信号値を第１、第２及び第３読取信号値として生成する信号読取手段と、
　前記第１及び第３読取信号値を個別に第１閾値又は前記第１閾値より大である第２閾値と比較する比較手段と、
　前記第１読取信号値が前記第１閾値より小さい時、又は前記第２閾値より大きい時に第１ゲート信号を発生する手段と、
　前記第３読取信号値が前記第１閾値より小さい時、又は前記第２閾値より大きい時に第２ゲート信号を発生する手段と、
　前記第２読取信号値の交流成分のみを抽出した第４読取信号値を得る手段と、
　前記第１ゲート信号発生時の前記第４読取信号値を前記一端のトラックから前記中央のトラックへのクロストーク量を示す値として生成する第１クロストーク量検出手段と、
　前記第２ゲート信号発生時の前記第４読取信号値を前記他端のトラックから前記中央のトラックへのクロストーク量を示す値として生成する第２クロストーク量検出手段と、を有することを特徴とする光学式ピックアップ装置。
【請求項１８】
　前記第４読取信号値を得る手段は、前記第１及び第２クロストーク量検出手段の出力値に応じて前記第４読取信号を補正して出力することを特徴とする請求項１７記載の光学式ピックアップ装置。
【請求項１９】
　記録媒体のトラック上に記録された信号を光学的に読み取る光学式ピックアップ装置であって、
　前記記録媒体上の隣接する３トラック各々の記録信号を３ビームにより同時に個別にかつ光学的に読み取って前記３トラックのうちの先行読取の一端、中央及び遅れ読取の他端のトラックに対する各読取信号値を第１、第２及び第３読取信号値として生成する信号読取手段と、
　前記第１及び第３読取信号値を個別に第１閾値又は前記第１閾値より大である第２閾値と比較する比較手段と、
　前記第１読取信号値が前記第１閾値より小さい時、又は前記第２閾値より大きい時に第１ゲート信号を発生する手段と、
　前記第３読取信号値が前記第１閾値より小さい時、又は前記第２閾値より大きい時に第２ゲート信号を発生する手段と、
　前記第２読取信号値の交流成分のみを抽出した第４読取信号値を得る手段と、
　前記第１ゲート信号発生時の前記第４読取信号値を前記一端のトラックから前記中央のトラックへのクロストーク量を示す値として生成する第１クロストーク量検出手段と、
　前記第２ゲート信号発生時の前記第４読取信号値を前記他端のトラックから前記中央のトラックへのクロストーク量を示す値として生成する第２クロストーク量検出手段と、を有することを特徴とする光学式ピックアップ装置。
【請求項２０】
　前記第４読取信号値を得る手段は、前記第１及び第２クロストーク量検出手段の出力値に応じて前記第４読取信号を補正して出力することを特徴とする請求項１９記載の光学式ピックアップ装置。
【請求項２１】
　記録媒体のトラック上に記録された信号を光学的に読み取る光学式ピックアップ装置であって、
　前記記録媒体上の１トラックの記録信号を光学的に読み取って第１読取信号値として出力する信号読取手段と、
　前記信号読取手段から出力された前記第１読取信号値を所定の周期で記憶するメモリと、
　前記信号読取手段による現読取地点から既に読み取った側の１トラック及び２トラック分だけ隣の各読取地点に対応する各読取信号値を前記メモリに記憶された複数の前記第１読取信号値から第２及び第３読取信号値として読み出す読出手段と、
　前記第１及び第３読取信号値を個別に第１閾値又は前記第１閾値より大である第２閾値と比較する比較手段と、
　前記第１読取信号値が前記第１閾値より小さい時、又は前記第２閾値より大きい時に第１ゲート信号を発生する手段と、
　前記第３読取信号値が前記第１閾値より小さい時、又は前記第２閾値より大きい時に第２ゲート信号を発生する手段と、
　前記第２読取信号値の交流成分のみを抽出した第４読取信号値を得る手段と、
　前記第１ゲート信号発生時の前記第４読取信号値を隣接する３トラックのうちの一端のトラックから中央のトラックへのクロストーク量を示す値として生成する第１クロストーク量検出手段と、
　前記第２ゲート信号発生時の前記第４読取信号値を前記隣接する３トラックのうちの他端のトラックから前記中央のトラックへのクロストーク量を示す値として生成する第２クロストーク量検出手段と、を有することを特徴とする光学式ピックアップ装置。
【請求項２２】
　前記第４読取信号値を得る手段は、前記第１及び第２クロストーク量検出手段の出力値に応じて前記第４読取信号を補正して出力することを特徴とする請求項２１記載の光学式ピックアップ装置。
【発明の詳細な説明】
【技術分野】
【０００１】
　本発明は、光ディスク等の光学式記録媒体への映像信号、音声信号、或いはコンピュータデータ信号等の情報信号の書き込み、又は読み取りを行なう光学式ピックアップ装置に関する。
【背景技術】
【０００２】
　音声信号だけでなく映像信号やコンピュータデータを含んだ情報信号の光ディスクへの高密度記録の研究が進んでいる。例えば、音声信号のみを記録した公知のコンパクトディスクの大きさの光ディスクに２時間程度の映画の映像信号を含んだ情報信号を記録するならば、光ディスクの記録密度はかなり高密度にしなければならない。高密度記録のためには情報信号を記録するトラック間隔を小さくすることが考えられる。トラック間隔、すなわちトラックピッチを小さくした場合、問題となることは情報信号に混入するクロストーク量が増大して再生情報信号の品質を劣化させることである。特に、光ディスクが光軸に対して傾いた場合には一方の隣接トラックからのクロストーク量が増大して良好な信号再生ができないことが生ずる。
【０００３】
　従来のピックアップ装置はトラックピッチが大きく設定された光ディスクに記録された情報信号ならば良好に読み取ることができるが、高記録密度のためトラックピッチを小さくした光ディスクからクロストークによる悪影響を受けることなく情報信号を良好に読み取ることは不可能である。しかしながら、トラックピッチの大きい光ディスクであっても上記したように光ディスクが光軸に対して傾いた場合には一方の隣接トラックからのクロストーク量が増大する。よって、従来のピックアップ装置においてはディスクの傾きを検出するディスク傾き検出器を備え、そのディスク傾き検出器で検出された傾き検出量に応じて光ディスクへの光軸を制御することが行なわれていた。
【０００４】
　図１は従来のピックアップ装置に用いられているディスク傾き検出器を示している。このディスク傾き検出器において、発光ダイオード１１はディスク傾き検出用のビーム光をディスク１２に対して発生し、受光器１３，１４は発光ダイオード１１を挟んでディスク半径方向に設けられ、ディスク１２からの反射光を各々受光する。受光器１３，１４の各受光レベル信号は差動増幅器１５に供給され、その差分が取られる。例えば、図においてディスク１２の右側が下がるように傾くと、受光器１３の出力レベルが大きくなり、受光器１４の出力レベルは小さくなるので、このレベル差からディスクの傾きを検出できる。差動増幅器１５の出力信号はピックアップ全体の傾き調整する駆動機構に供給され、ディスク傾き検出器で検出された傾きを補正するようにピックアップ全体の傾きが自動調整される。
【０００５】
　しかしながら、このような傾き検出器および駆動機構はピックアップ装置を大型化させるので、ピックアップ自体の高速移動が困難となり、この結果、目標トラックに対する高速アクセスが難しくなるという欠点があった。また、傾き検出器はその設置の角度を正確に調整する必要があるため、装置の組立段階で手間がかかるという欠点があった。更に、傾き検出器の出力から隣接するトラックからのクロストークのバランスをとることはできても、傾き検出器ではクロストークの量そのものを測定できないので、トラック間隔を極めて小さくすることはできなかった。また、これに対して、トラックにクロストークを測定するためのマークを予め記録しておく方法が提案されている。しかしながら、このようなマークはユーザが記録する情報に無関係にディスク記録容量のうちの一定の容量を使ってしまうので、ディスクに記録できる容量が減少するという欠点があった。
【発明の開示】
【発明が解決しようとする課題】
【０００６】
　本発明は、上記した点に鑑みてなされたものであり、その目的とするところは、１トラックに対する読取信号へのその隣接トラックからのクロストーク量を、特別な信号を記録することなくそれらトラックに対する読取信号から適切に検出する光学式ピックアップ装置を提供することにある。
【課題を解決するための手段】
【０００７】
　請求項１に係る発明の光学式ピックアップ装置は、記録媒体のトラック上に記録された信号を光学的に読み取る光学式ピックアップ装置であって、前記記録媒体上の隣接する少なくとも３トラック各々の記録信号を同時並行的に個別にかつ光学的に読み取って前記３トラックのうちの一端、中央及び他端のトラックに対する各読取信号値を第１、第２及び第３読取信号値として生成する信号読取手段と、前記第１及び第３読取信号値を個別に第１閾値及び前記第１閾値より大である第２閾値と比較する比較手段と、前記第１読取信号値が前記第２閾値より大きくかつ前記第３読取信号値が前記第２閾値より大きい時点に第３ゲート信号を発生する手段と、前記第１読取信号値が前記第１閾値より小さくかつ第３読取信号値が前記第１閾値より小さい時点に第４ゲート信号を発生する手段と、前記第３ゲート信号の発生時の前記第２読取信号値と前記第４ゲート信号の発生時の前記第２読取信号値との差分を前記第２読取信号へのクロストーク量を示す値として生成するクロストーク量検出手段と、を有することを特徴としている。
【０００８】
　請求項７に係る発明の光学式ピックアップ装置は、記録媒体のトラック上に記録された信号を光学的に読み取る光学式ピックアップ装置であって、前記記録媒体上の隣接する３トラック各々の記録信号を３ビームにより同時に個別にかつ光学的に読み取って前記３トラックのうちの先行読取の一端、中央及び遅れ読取の他端のトラックに対する各読取信号値を第１、第２及び第３読取信号値として生成する信号読取手段と、前記第１読取信号値が第１閾値より小であるとき第５ゲート信号を発生する第１比較手段と、前記第１読取信号値が前記第１閾値より大である第２閾値より大であるとき第６ゲート信号を発生する第２比較手段と、前記第５及び第６ゲート信号を個別に遅延させる遅延手段と、前記遅延手段によって遅延された前記第５ゲート信号の発生時の前記第２読取信号値を保持出力する第５サンプルホールド回路と、前記遅延手段によって遅延された前記第６ゲート信号の発生時の前記第２読取信号値を保持出力する第６サンプルホールド回路と、前記第３読取信号値が前記第１閾値より小であるとき前記第５サンプルホールド回路の保持出力値を得て、前記第３読取信号値が前記第２閾値より大であるとき前記第６サンプルホールド回路の保持出力値を得る選択手段と、前記選択手段によって得られた前記第５及び第６サンプルホールド回路の各保持出力値の差分を前記第２読取信号へのクロストーク量を示す値として生成するクロストーク量検出手段と、を有することを特徴としている。
【０００９】
　請求項１０に係る発明の光学式ピックアップ装置は、記録媒体のトラック上に記録された信号を光学的に読み取る光学式ピックアップ装置であって、前記記録媒体上の１トラックの記録信号を光学的に読み取って第１読取信号値として出力する信号読取手段と、前記信号読取手段から出力された前記第１読取信号値を所定の周期で記憶するメモリと、前記信号読取手段による現読取地点から既に読み取った側の１トラック及び２トラック分だけ隣の各読取地点に対応する各読取信号値を前記メモリに記憶された複数の前記第１読取信号値から第２及び第３読取信号値として読み出す手段と、前記第１及び第３読取信号値を個別に第１閾値及び前記第１閾値より大である第２閾値と比較する比較手段と、前記第１読取信号値が前記第２閾値より大きくかつ前記第３読取信号値が前記第２閾値より大きい時点に第３ゲート信号を発生する手段と、前記第１読取信号値が前記第１閾値より小さくかつ第３読取信号値が前記第１閾値より小さい時点に第４ゲート信号を発生する手段と、前記第３ゲート信号の発生時の前記第２読取信号値と前記第４ゲート信号の発生時の前記第２読取信号値との差分を前記第２読取信号へのクロストーク量を示す値として生成するクロストーク量検出手段と、を有することを特徴としている。
【００１０】
　請求項１１に係る発明の光学式ピックアップ装置は、記録媒体のトラック上に記録された信号を光学的に読み取る光学式ピックアップ装置であって、前記記録媒体上の隣接する少なくとも３トラック各々の記録信号を同時並行的に個別にかつ光学的に読み取って前記３トラックのうちの一端、中央及び他端のトラックに対する各読取信号値を第１、第２及び第３読取信号値として生成する信号読取手段と、前記第１及び第３読取信号値を個別に第１閾値及び前記第１閾値より大である第２閾値と比較する比較手段と、前記第１読取信号値が前記第１閾値より小さい時に第１ゲート信号を発生する手段と、前記第１読取信号値が前記第２閾値より大きい時に第２ゲート信号を発生する手段と、前記第３読取信号値が前記第１閾値より小さい時に第３ゲート信号を発生する手段と、前記第３読取信号値が前記第２閾値より大きい時に第４ゲート信号を発生する手段と、前記第１ゲート信号発生時の前記第２読取信号値と、前記第２ゲート信号発生時の前記第２読取信号値との差分を前記一端のトラックから前記中央のトラックへのクロストーク量を示す値として生成する第１クロストーク量検出手段と、前記第３ゲート信号発生時の前記第２読取信号値と、前記第４ゲート信号発生時の前記第２読取信号値との差分を前記他端のトラックから前記中央のトラックへのクロストーク量を示す値として生成する第２クロストーク量検出手段と、を有することを特徴としている。
【００１１】
　請求項１３に係る発明の光学式ピックアップ装置は、記録媒体のトラック上に記録された信号を光学的に読み取る光学式ピックアップ装置であって、前記記録媒体上の隣接する３トラック各々の記録信号を３ビームにより同時に個別にかつ光学的に読み取って前記３トラックのうちの先行読取の一端、中央及び遅れ読取の他端のトラックに対する各読取信号値を第１、第２及び第３読取信号値として生成する信号読取手段と、前記第１及び第３読取信号値を個別に第１閾値及び前記第１閾値より大である第２閾値と比較する比較手段と、前記第１読取信号値が前記第１閾値より小さい時に第１ゲート信号を発生する手段と、前記第１読取信号値が前記第２閾値より大きい時に第２ゲート信号を発生する手段と、前記第３読取信号値が前記第１閾値より小さい時に第３ゲート信号を発生する手段と、前記第３読取信号値が前記第２閾値より大きい時に第４ゲート信号を発生する手段と、前記第１ゲート信号発生時の前記第２読取信号値と、前記第２ゲート信号発生時の前記第２読取信号値との差分を前記一端のトラックから前記中央のトラックへのクロストーク量を示す値として生成する第１クロストーク量検出手段と、前記第１ゲート信号発生時の前記第２読取信号値と、前記第２ゲート信号発生時の前記第２読取信号値との差分を前記他端のトラックから前記中央のトラックへのクロストーク量を示す値として生成する第２クロストーク量検出手段と、を有することを特徴としている。
【００１２】
　請求項１５に係る発明の光学式ピックアップ装置は、記録媒体のトラック上に記録された信号を光学的に読み取る光学式ピックアップ装置であって、前記記録媒体上の１トラックの記録信号を光学的に読み取って第１読取信号値として出力する信号読取手段と、前記信号読取手段から出力された前記第１読取信号値を所定の周期で記憶するメモリと、前記信号読取手段による現読取地点から既に読み取った側の１トラック及び２トラック分だけ隣の各読取地点に対応する各読取信号値を前記メモリに記憶された複数の前記第１読取信号値から第２及び第３読取信号値として読み出す読出手段と、前記第１及び第３読取信号値を個別に第１閾値及び前記第１閾値より大である第２閾値と比較する比較手段と、前記第１読取信号値が前記第１閾値より小さい時に第１ゲート信号を発生する手段と、前記第１読取信号値が前記第２閾値より大きい時に第２ゲート信号を発生する手段と、前記第３読取信号値が前記第１閾値より小さい時に第３ゲート信号を発生する手段と、前記第３読取信号値が前記第２閾値より大きい時に第４ゲート信号を発生する手段と、前記第１ゲート信号発生時の前記第２読取信号値と、前記第２ゲート信号発生時の前記第２読取信号値との差分を隣接する３トラックのうちの一端のトラックから中央のトラックへのクロストーク量を示す値として生成する第１クロストーク量検出手段と、前記第３ゲート信号発生時の前記第２読取信号値と、前記第４ゲート信号発生時の前記第２読取信号値との差分を前記隣接する３トラックのうちの他端のトラックから前記中央のトラックへのクロストーク量を示す値として生成する第２クロストーク量検出手段と、を有することを特徴としている。
【００１３】
　請求項１７に係る発明の光学式ピックアップ装置は、記録媒体のトラック上に記録された信号を光学的に読み取る光学式ピックアップ装置であって、前記記録媒体上の隣接する少なくとも３トラック各々の記録信号を同時並行的に個別にかつ光学的に読み取って前記３トラックのうちの一端、中央及び他端のトラックに対する各読取信号値を第１、第２及び第３読取信号値として生成する信号読取手段と、前記第１及び第３読取信号値を個別に第１閾値又は前記第１閾値より大である第２閾値と比較する比較手段と、前記第１読取信号値が前記第１閾値より小さい時、又は前記第２閾値より大きい時に第１ゲート信号を発生する手段と、前記第３読取信号値が前記第１閾値より小さい時、又は前記第２閾値より大きい時に第２ゲート信号を発生する手段と、前記第２読取信号値の交流成分のみを抽出した第４読取信号値を得る手段と、前記第１ゲート信号発生時の前記第４読取信号値を前記一端のトラックから前記中央のトラックへのクロストーク量を示す値として生成する第１クロストーク量検出手段と、前記第２ゲート信号発生時の前記第４読取信号値を前記他端のトラックから前記中央のトラックへのクロストーク量を示す値として生成する第２クロストーク量検出手段と、を有することを特徴としている。
【００１４】
　請求項１９に係る発明の光学式ピックアップ装置は、記録媒体のトラック上に記録された信号を光学的に読み取る光学式ピックアップ装置であって、前記記録媒体上の隣接する３トラック各々の記録信号を３ビームにより同時に個別にかつ光学的に読み取って前記３トラックのうちの先行読取の一端、中央及び遅れ読取の他端のトラックに対する各読取信号値を第１、第２及び第３読取信号値として生成する信号読取手段と、前記第１及び第３読取信号値を個別に第１閾値又は前記第１閾値より大である第２閾値と比較する比較手段と、前記第１読取信号値が前記第１閾値より小さい時、又は前記第２閾値より大きい時に第１ゲート信号を発生する手段と、前記第３読取信号値が前記第１閾値より小さい時、又は前記第２閾値より大きい時に第２ゲート信号を発生する手段と、前記第２読取信号値の交流成分のみを抽出した第４読取信号値を得る手段と、前記第１ゲート信号発生時の前記第４読取信号値を前記一端のトラックから前記中央のトラックへのクロストーク量を示す値として生成する第１クロストーク量検出手段と、前記第２ゲート信号発生時の前記第４読取信号値を前記他端のトラックから前記中央のトラックへのクロストーク量を示す値として生成する第２クロストーク量検出手段と、を有することを特徴としている。
【００１５】
　請求項２１に係る発明の光学式ピックアップ装置は、記録媒体のトラック上に記録された信号を光学的に読み取る光学式ピックアップ装置であって、前記記録媒体上の１トラックの記録信号を光学的に読み取って第１読取信号値として出力する信号読取手段と、前記信号読取手段から出力された前記第１読取信号値を所定の周期で記憶するメモリと、前記信号読取手段による現読取地点から既に読み取った側の１トラック及び２トラック分だけ隣の各読取地点に対応する各読取信号値を前記メモリに記憶された複数の前記第１読取信号値から第２及び第３読取信号値として読み出す読出手段と、前記第１及び第３読取信号値を個別に第１閾値又は前記第１閾値より大である第２閾値と比較する比較手段と、前記第１読取信号値が前記第１閾値より小さい時、又は前記第２閾値より大きい時に第１ゲート信号を発生する手段と、前記第３読取信号値が前記第１閾値より小さい時、又は前記第２閾値より大きい時に第２ゲート信号を発生する手段と、前記第２読取信号値の交流成分のみを抽出した第４読取信号値を得る手段と、前記第１ゲート信号発生時の前記第４読取信号値を隣接する３トラックのうちの一端のトラックから中央のトラックへのクロストーク量を示す値として生成する第１クロストーク量検出手段と、前記第２ゲート信号発生時の前記第４読取信号値を前記隣接する３トラックのうちの他端のトラックから前記中央のトラックへのクロストーク量を示す値として生成する第２クロストーク量検出手段と、を有することを特徴としている。
【発明を実施するための最良の形態】
【００１６】
　以下、本発明の実施例を図面を参照しつつ詳細に説明する。図２は本発明による光ディスクプレーヤに用いられる光学式ピックアップ装置の光学系を示している。このピックアップ装置において、光源２１は図示しない駆動回路により駆動されてレーザ光を発射し、光源２１から発射されたレーザ光はビームスプリッタ２２によって反射された後、対物レンズ２４に到達する。対物レンズ２４はレーザビームを光ディスク２６の記録面に収束させる。光ディスク２６の記録面においては３トラック以上のトラックが照射される。光ディスク１６の記録面で反射した光ビーム、すなわち反射光は対物レンズ２４で平行レーザビームにされた後、ビームスプリッタ２２を直線的に通過し、受光器２７に到達する。
【００１７】
　受光器２７は、図３に示すように３つの受光素子３４〜３６を有し、それらの受光素子３４〜３６はディスク半径方向に所定の間隔を置いて直線的に並べられている。光ディスク２６上の読み取るべき１トラックのトラック像（ピット像）が受光素子３５に形成されるとき、その１トラックの隣接トラック各々のトラック像が受光素子３４，３６に形成されるように受光素子３４〜３６間の間隔は定められている。
【００１８】
　図４は受光器２７の出力に接続されているクロストーク検出回路を示している。このクロストーク検出回路においては、受光素子３５にインバータ４９が接続されている。インバータ４９は受光素子３５の出力レベルを反転させる。受光素子３４には２つの比較器４１，４３が接続され、受光素子３６には２つの比較器４２，４４が接続されている。比較器４１は受光素子３４の出力レベルと第１閾値Ｔｈ１とを比較し受光素子３４の出力レベル＜Ｔｈ１の時、高レベルの出力信号を出力する。比較器４２は受光素子３６の出力レベルと第１閾値Ｔｈ１とを比較し受光素子３６の出力レベル＜Ｔｈ１の時、高レベルの出力信号を出力する。比較器４３は受光素子３４の出力レベルと第２閾値Ｔｈ２とを比較し受光素子３４の出力レベル＞Ｔｈ２の時、高レベルの出力信号を出力する。比較器４４は受光素子３６の出力レベルと第２閾値Ｔｈ２とを比較し受光素子３６の出力レベル＞Ｔｈ２の時、高レベルの出力信号を出力する。比較器４１〜４４の出力にはＡＮＤ回路４５〜４８からなるロジック回路が形成されている。ＡＮＤ回路４５は比較器４１，４２の出力レベルの論理積をとり、ＡＮＤ回路４６は比較器４１，４４の出力レベルの論理積をとり、ＡＮＤ回路４７は比較器４２，４３の出力レベルの論理積をとり、ＡＮＤ回路４８は比較器４３，４４の出力レベルの論理積をとる。
【００１９】
　ＡＮＤ回路４５〜４８の各出力にはサンプルホールド（Ｓ／Ｈ）回路５１〜５４が接続されている。サンプルホールド回路５１はＡＮＤ回路４５の高レベル信号出力である第４ゲート信号に応じてインバータ４９の出力信号を保持し、サンプルホールド回路５２はＡＮＤ回路４８の高レベル信号出力である第３ゲート信号に応じて受光素子３５の出力信号を保持し、サンプルホールド回路５３はＡＮＤ回路４６の高レベル信号出力である第１ゲート信号に応じて受光素子３５の出力信号を保持し、サンプルホールド回路５４はＡＮＤ回路４７の高レベル信号出力である第２ゲート信号に応じてインバータ４９の出力信号を保持する。サンプルホールド回路５１，５２には積分加算回路５５が接続され、サンプルホールド回路５３，５４には積分加算回路５６が接続されている。積分加算回路５５はサンプルホールド回路５１，５２の出力値を加算して更に積分することによりクロストーク量を得る。積分加算回路５６はサンプルホールド回路５３，５４の出力値を加算して更に積分することによりクロストークバランスレベルを得る。
【００２０】
　図５は光ディスク２６としてディジタルビデオディスクを用いた場合に例えば、受光素子３５から得られる読取信号の測定波形、すなわちアイパターン例を示している。このアイパターンから分かることは、光ディスク２６に形成された長さの異なるピット間では空間周波数伝達特性の違いからそれら読取信号振幅が互いに異なっていることである。従って、この振幅が互いに異なる点を考慮して、上記した第１閾値Ｔｈ１及び第２閾値Ｔｈ２は設定される。すなわち、図５に示すように第１閾値Ｔｈ１は最も短いピットに対する振幅値の大きさより大きく設定され、第２閾値Ｔｈ２は第１閾値Ｔｈ１より大きい値に設定されている。図５の場合、第１閾値Ｔｈ１及び第２閾値Ｔｈ２各々の絶対値は互いに等しい。なお、ピット長に応じて読取信号振幅が互いに異なること自体はコンパクトディスク等の他の光ディスクでも同様である。
【００２１】
　上記した構成のクロストーク検出回路の動作として、先ずクロストークバランスレベルの検出動作について説明する。受光素子３６がトラック上のランド部からの反射光を受光し、受光素子３５がトラック上のピット部からの反射光を受光すると、ランド部からの反射光の方がピット部からの反射光よりも明るいので、受光素子３４の出力レベルが第１閾値Ｔｈ１より小さく、受光素子３６の出力レベルが第２閾値Ｔｈ２より大きくなる。これにより、比較器４１，４４の各出力レベルは高レベルとなり、比較器４２，４３の各出力レベルは低レベルとなるので、ＡＮＤ回路４６の出力レベルが高レベルとなり、他のＡＮＤ回路４５，４７，４８の各出力レベルは低レベルとなる。このときにはＡＮＤ回路４６の高レベル出力、すなわち第１ゲート信号に応答してサンプルホールド回路５３が活性化され、サンプルホールド回路５３は受光素子３５の出力信号を保持出力する。この保持出力は積分加算回路５６に供給される。
【００２２】
　一方、受光素子３４がトラック上のランド部からの反射光を受光し、受光素子３６がトラック上のピット部からの反射光を受光すると、受光素子３４の出力レベルが第２閾値Ｔｈ２より大きく、受光素子３６の出力レベルが第１閾値Ｔｈ１より小さくなる。これにより、比較器４２，４３の各出力レベルは高レベルとなり、比較器４１，４４の各出力レベルは低レベルとなるので、ＡＮＤ回路４７の出力レベルが高レベルとなり、他のＡＮＤ回路４５，４６，４８の各出力レベルは低レベルとなる。このときにはＡＮＤ回路４７の高レベル出力、すなわち第２ゲート信号に応答してサンプルホールド回路５４が活性化され、サンプルホールド回路５４は受光素子３５の出力信号のインバータ４９による反転信号を保持出力する。この保持出力は積分加算回路５６に供給される。
【００２３】
　積分加算回路５６はサンプルホールド回路５３，５４から各々供給される信号を積分し、その積分結果を加算して出力する。この動作が連続的に行なわれるので、サンプルホールド回路５３，５４から各々供給される信号レベルの平均値が積分加算回路５６では加算されることになる。インバータ４９が設けられているので、実際には受光素子３４の出力レベルが第１閾値Ｔｈ１より小さく、受光素子３６の出力レベルが第２閾値Ｔｈ２より大きくなるときと、受光素子３４の出力レベルが第２閾値Ｔｈ２より大きく、受光素子３６の出力レベルが第１閾値Ｔｈ１より小さくなるときの受光素子３５の出力信号の平均値の差がとられていることになる。
【００２４】
　クロストークバランスがとれている場合には、受光素子３４の出力レベルが第１閾値Ｔｈ１より小さくかつ受光素子３６の出力レベルが第２閾値Ｔｈ２より大きくなるときと、受光素子３４の出力レベルが第２閾値Ｔｈ２より大きくかつ受光素子３６の出力レベルが第１閾値Ｔｈ１より小さくなるときとの割合がほぼ等しくなるので、積分加算回路５６の加算出力はほぼ０の小さい値となる。しかしながら、クロストークバランスがとれていない場合には、例えば、受光素子３５へのクロストーク量が受光素子３４に対するトラックからのものが受光素子３６に対するトラックからよりも多いならば、受光素子３４がトラック上のランド部からの反射光を受光し、受光素子３６がトラック上のピット部からの反射光を受光しているときに、それとは逆のときに比べて受光素子３５はクロストークによる影響を受けてそのインバータ４９の出力レベルの平均値が増大したことになり、積分加算回路５６の加算出力は負に大きくなる。一方、受光素子３５へのクロストーク量が受光素子３６に対するトラックからのものが受光素子３４に対するトラックからよりも多いならば、受光素子３６がトラック上のランド部からの反射光を受光し、受光素子３４がトラック上のピット部からの反射光を受光しているときに、それとは逆のときに比べて受光素子３５はクロストークによる影響を受けて受光素子３５の出力レベルの平均値が増大したことになり、積分加算回路５６の加算出力は正に大きくなる。
【００２５】
　すなわち、積分加算回路５６の加算出力はクロストーク量のアンバランスを示しており、この値から光ディスク２６の傾きによるクロストークの影響を知ることができる。次に、クロストーク検出回路のクロストーク量の検出動作について説明する。受光素子３４がトラック上のランド部からの反射光を受光し、受光素子３６もトラック上のランド部からの反射光を受光すると、受光素子３４，３６の各出力レベルが第２閾値Ｔｈ２より大きくなる。これにより、比較器４３，４４の各出力レベルは高レベルとなり、比較器４１，４２の各出力レベルは低レベルとなるので、ＡＮＤ回路４８の出力レベルが高レベルとなり、他のＡＮＤ回路４５〜４７の各出力レベルは低レベルとなる。このときにはＡＮＤ回路４８の高レベル出力、すなわち第３ゲート信号に応答してサンプルホールド回路５２が活性化され、サンプルホールド回路５２は受光素子３５の出力信号を保持出力する。この保持出力は積分加算回路５５に供給される。
【００２６】
　受光素子３４がトラック上のピット部からの反射光を受光し、受光素子３６もトラック上のピット部からの反射光を受光すると、受光素子３４，３６の各出力レベルが第１閾値Ｔｈ１より小さくなる。これにより、比較器４３，４４の各出力レベルは低レベルとなり、比較器４１，４２の各出力レベルは高レベルとなるので、ＡＮＤ回路４５の出力レベルが高レベルとなり、他のＡＮＤ回路４６〜４８の各出力レベルは低レベルとなる。このときにはＡＮＤ回路４５の高レベル出力、すなわち第４ゲート信号に応答してサンプルホールド回路５１が活性化され、サンプルホールド回路５１は受光素子３５の出力信号のインバータ４９による反転信号を保持出力する。この保持出力は積分加算回路５５に供給される。
【００２７】
　積分加算回路５５はサンプルホールド回路５１，５２から各々供給される信号を積分し、その積分結果を加算して出力する。この動作が連続的に行なわれるので、サンプルホールド回路５１，５２から各々供給される信号レベルの平均値が積分加算回路５５では加算されることになる。インバータ４９が設けられているので、実際には受光素子３４，３６の各出力レベルが第２閾値Ｔｈ２より大きいときと、受光素子３４，３６の出力レベルが第１閾値Ｔｈ１より小さいときの受光素子３５の出力信号の平均値の差がとられていることになる。受光素子３５の受光にクロストークがなければ、隣接トラックについての明暗に拘らずその平均値は等しくなるので、差はほぼ０となるが、クロストークがある場合には連接トラックによる明るさにより受光素子３５の受光に影響を与える。よって、積分加算回路５５の加算出力はその明るさによるクロストーク量を示すことになる。
【００２８】
　なお、受光素子３５から得られる読取信号のアイパターンが図５に示したアイパターンとは違ってアイ開口に対して非対称な場合にはインバータ４９の出力信号に適当な係数を乗算して補正することができる。図４に示したクロストーク検出回路においては、インバータ４９によって受光素子３５の出力信号を反転させた後、サンプルホールド回路５１，５４に供給しているので、積分加算回路５５，５６では供給される双方の信号を加算することにより結果的に減算していることになっているが、インバータ４９を設ける代わりに、図６に示すように、受光素子３５の出力信号をサンプルホールド回路５１〜５４全てにそのまま供給し、サンプルホールド回路５１〜５４の出力信号を積分回路５７〜６０に供給し、差動増幅器８８，８９で減算するようにしても良いことは明らかである。
【００２９】
　図７は上記したクロストーク検出回路から得られるクロストーク量及びクロストークバランスレベルに応じてクロストークを除去するクロストーク除去機能を有するピックアップ装置を示している。このピックアップ装置において、受光器６１は５つの受光素子を有し、それらの受光素子はディスク半径方向に所定の間隔を置いて直線的に並べられている。光ディスクの記録面においては光源（図示せず）から発せられた光ビームがディスク半径方向に５トラック以上のトラックに照射され、その反射光が受光器６１の５つの受光素子に到達し、各受光素子には連続する５トラックのうちの１トラックずつトラック像が形成される。受光器６１の出力には逆行列演算回路６２が接続されている。逆行列演算回路６２はクロストーク検出回路６４から出力されるクロストーク量及びクロストークバランスレベルを用いて受光器６１の出力信号を逆行列変換する。逆行列演算回路６２の出力には信号抽出回路６３が接続されている。信号抽出回路６３は逆行列演算回路６２の演算結果の信号ｐ1〜ｐ5のうちの３つの信号ｐ2，ｐ3，ｐ4を抽出してクロストーク検出回路６４に供給する。クロストーク検出回路６４は例えば、図４に示した構成を有する。
【００３０】
　受光器６１の各受光素子から出力される信号をその配置順でｓ1〜ｓ5とし、またクロストーク検出回路６４から出力されるクロストーク量をａ、クロストークバランスレベルをｃとすると、逆行列演算回路６２の演算結果の信号ｐ1〜ｐ5との間に式（１）で示す行列関係がある。なお、ここでは受光器６１にトラック像として形成される５トラック以外のトラックからのクロストークの影響は無視する。
【００３１】
【数１】
2004146061.tif 000003
受光器６１の出力信号ｓ1〜ｓ5、クロストーク検出回路６４の出力信号ａ，ｃ、及び逆行列演算回路６２の出力信号ｐ1〜ｐ5の行列をベクトルＳ，Ｃ，Ｐとすると、その間には
【００３２】
（数２）
Ｓ＝Ｃ・Ｐ
という関係がある。受光器６１の出力信号ｓ1〜ｓ5からディスクに記録された元の信号を復元するには、行列Ｃの逆行列Ｃ-1を求め、
【００３３】
（数３）
Ｐ＝Ｃ-1・Ｓ
を計算すればよい。これは、実際にはａとｃから求まる係数によって、受光器６１の各出力信号ｓ1〜ｓ5の一次結合を作ることと等価である。逆行列演算回路６２の逆行列演算結果の信号ｐ1〜ｐ5のうちの３つの信号ｐ2，ｐ3，ｐ4が信号抽出回路６３で抽出されてクロストーク検出回路６４に適用される。クロストーク検出回路６４で得られたクロストーク量ａ及びクロストークバランスレベルｃを逆行列演算回路６２にフィードバックしてクロストーク量ａ及びクロストークバランスレベルｃが減少するようにクロストーク除去制御が行なわれる。
【００３４】
　この逆行列演算を行なう実施例を述べれば、これはクロストーク量に応じて隣接トラック信号を中央トラックの信号から減算することであり、これはＶＣＡ（電圧制御増幅器）を用いて構成することができる。この構成例を図８に示す。図８において、１１１は上記構成によって検出したクロストーク量とクロストークバランスの差分をとる差動増幅器であり、１１２は同じくこれらの合計をとる加算器である。いま、一方の隣接トラックに対する読取信号が供給される入力２からのクロストーク量Ｃ２と、他方の隣接トラックに対する読取信号が供給される入力３からのクロストーク量Ｃ３の和Ｃ２＋Ｃ３が差動増幅器１１１及び加算器１１２各々の一方の入力に供給され、このバランスＣ２−Ｃ３が差動増幅器１１１及び加算器１１２各々の他方の入力に供給されるとすれば、これらを加算した信号はＣ２を表し、これらの差分はＣ３の大きさを表す。よって、電圧制御差動増幅器１１３，１１４によって１１８の中央トラックの検出信号からそれぞれの隣接トラックの信号をゲート調整器１２１，１２２によって適正な比率によって減算することにより、クロストークが取り除かれる。ここで、この信号をクロストーク検出回路１１５によって再び調べるようなサーボ系を構成すると、電圧制御差動増幅器１１４の出力で、クロストーク量及びバランスが０となるような信号が得られる。この信号を復調回路に送出することにより、クロストーク量が変化してもこれを除去した信号を常に得ることができる。
【００３５】
　なお、受光器６１の出力信号中のｓ3の信号だけ逆行列演算回路６２にてクロストーク除去の演算を行い、ｓ2，ｐ3，ｓ4の信号を入力信号としてクロストーク検出回路６４を動作させることも可能である。図９は本発明の実施例として３ビーム方式のピックアップ装置のクロストーク検出回路を示している。このクロストーク検出回路はピックアップ装置の光学系として３ビーム方式のものを用いた場合に適用可能であり、ピックアップ装置の光学系には３つの受光素子７１〜７３が備えられている。受光素子７１〜７３はディスク上に３つの互いに隣接する３つのトラックに３ビームにより各々照射されたスポット光の反射光を受光するように配置されている。ディスク上には図１０に示すように、３つのスポット光６５〜６７が形成され、スポット光６６は３つのトラックのうちの中央に位置する１トラックに形成され、スポット光６５はその１トラックに隣接する２つの隣接トラックの一方においてスポット光６６より先行した位置に形成され、スポット光６７はその１トラックに隣接する２つの隣接トラックの他方においてスポット光６６より遅れた位置に形成される。受光素子７１はスポット光６５の反射光を受光し、受光素子７２はスポット光６６の反射光を受光し、受光素子７３はスポット光６７の反射光を受光する。
【００３６】
　かかるクロストーク検出回路においては、受光素子７１の出力には２つの比較器７４，７５が接続されている。比較器７４は受光素子７１の出力レベルと第１閾値Ｔｈ１とを比較し受光素子７１の出力レベル＜Ｔｈ１の時、高レベルの出力信号を出力する。比較器７５は受光素子７１の出力レベルと第２閾値Ｔｈ２とを比較し受光素子７１の出力レベル＞Ｔｈ２の時、高レベルの出力信号を出力する。比較器７４，７５の各出力には遅延素子７６，７７が接続されている。遅延素子７６，７７はディスク接線方向におけるスポット光６５，６６間又はスポット光６６，６７間の距離Ｌだけスポット光６５〜６７が移動する時間に相当する。遅延素子７６の出力にはサンプルホールド（Ｓ／Ｈ）回路７８が接続され、遅延素子７７にはサンプルホールド回路７９が接続されている。サンプルホールド回路７８は遅延素子７６の出力信号に応じて受光素子７２の出力レベルを保持し、その保持出力をセレクタ８０に供給し、サンプルホールド回路７９は遅延素子７７の出力信号に応じて受光素子７２の出力レベルを保持し、その保持出力をセレクタ８１に供給する。セレクタ８０，８１各々は入力ＩＮにて遅延素子７６，７７からの遅延された受光素子７２の出力信号を入力し、受光素子７３の出力信号を入力し、その受光素子７３の出力レベルと第１閾値Ｔｈ１及び第２閾値Ｔｈ２とを比較する比較機能を有している。セレクタ８０，８１各々は更に、第１及び第２出力ＯＵＴ１，ＯＵＴ２を有し、受光素子７３の出力レベルが第１閾値Ｔｈ１より小のときには入力ＩＮに入力された信号を第１出力ＯＵＴ１から出力し、受光素子７３の出力レベルが第２閾値Ｔｈ２より大のときには入力ＩＮに入力された信号を第２出力ＯＵＴ２から出力する。セレクタ８０，８１各々の第１出力ＯＵＴ１には積分回路８２，８３が接続され、セレクタ８０，８１各々の第２出力ＯＵＴ２には積分回路８４，８５が接続されている。積分回路８２，８５には差動増幅器８６が接続され、差動増幅器８６からはクロストーク量が得られる。積分回路８３，８４には差動増幅器８７が接続され、差動増幅器８７からはクロストークバランスレベルが得られる。
【００３７】
　このクロストーク検出回路の動作においては、受光素子７１の出力レベルが第１閾値Ｔｈ１より小であるときに比較器７４の出力レベルが高レベルとなり、この高レベルは遅延素子７６によって遅延されてサンプルホールド回路７８に供給される。サンプルホールド回路７８はこの高レベル信号に応じて受光素子７２の出力信号を保持出力する。一方、受光素子７１の出力レベルが第２閾値Ｔｈ２より大であるときに比較器７５の出力レベルが高レベルとなり、この高レベルは遅延素子７７によって遅延されてサンプルホールド回路７９に供給される。サンプルホールド回路７９はこの遅延素子７７からの高レベル信号に応じて受光素子７２の出力信号を保持出力する。３ビーム方式のピックアップ装置のため上記の距離Ｌに対応する時間だけ受光素子７１は受光素子７２よりディスク接線方向において位置的に先行しているので、比較器７４，７５が低レベルから高レベルになってから距離Ｌに対応する時間を経た後、受光素子７２の出力信号がサンプルホールド回路７８，７９では保持されている。
【００３８】
　受光素子７３の出力レベルが第１閾値Ｔｈ１より小であるときセレクタ８０はサンプルホールド回路７８の出力信号を積分回路８２に供給し、セレクタ８１はサンプルホールド回路７９の出力信号を積分回路８３に供給する。受光素子７３の出力レベルが第２閾値Ｔｈ２より大であるときセレクタ８０はサンプルホールド回路７８の出力信号を積分回路８４に供給し、セレクタ８１はサンプルホールド回路７９の出力信号を積分回路８５に供給する。
【００３９】
　結果的に、積分回路８２では受光素子７１の出力レベルが第１閾値Ｔｈ１より小でかつ受光素子７３の出力レベルが第１閾値Ｔｈ１より小であるときの受光素子７２の出力信号が積分され、積分回路８５では受光素子７１の出力レベルが第２閾値Ｔｈ２より大でかつ受光素子７３の出力レベルが第２閾値Ｔｈ２より大であるときの受光素子７２の出力信号が積分される。この積分回路８５，８２の出力レベルの差が差動増幅器８６でとられ、この差動増幅器８６の出力信号がクロストーク量を示す。また、積分回路８３では受光素子７１の出力レベルが第２閾値Ｔｈ２より大でかつ受光素子７３の出力レベルが第１閾値Ｔｈ１より小であるときの受光素子７２の出力信号が積分され、積分回路８４では受光素子７１の出力レベルが第１閾値Ｔｈ１より小でかつ受光素子７３の出力レベルが第２閾値Ｔｈ２より大であるときの受光素子７２の出力信号が積分される。この積分回路８４，８３の出力レベルの差が差動増幅器８７でとられ、この差動増幅器８７の出力信号がクロストークバランスレベルを示す。
【００４０】
　すなわち、差動増幅器８６，８７から得られるクロストーク量及びクロストークバランスレベルは図４に示したクロストーク検出回路と同様である。図９の回路においては、積分回路８２，８５の出力に差動増幅器８６が接続され、また積分回路８３，８４の出力に差動増幅器８７が接続されているが、セレクタ８０，８１に差動増幅器８６，８７を直接接続して、その各差動出力を個別の積分回路で積分しても良い。また、図４の如くインバータを設けて反転信号を一方の積分回路に供給するようにして各積分回路の出力値を加算するようにしても良い。
【００４１】
　なお、図９の実施例のように遅延素子を用いると、１つの回路は遅延時間中に次の信号を取り込むことができないので、サンプル間隔があくことになるが、通常、クロストーク特性はそれほど急峻に変化をしないので、これでも充分な速さを持つ。急峻なクロストーク変化に対応する必要があるのであれば、図９の回路を何系統か容易し、同時に用いることで応答速度を速くすることができる。
【００４２】
　また、１トラックのみの信号を読み取る、従来より良く用いられるピックアップ装置に本発明を適用することができる。次に、１つの光スポットで検出した信号を一度メモリ１０３に蓄えて構成させる場合の実施例を図１１に示す。この図１１において、１０１はディスク上の１トラックに対する光スポット部分からの反射光を受光する受光素子としてディテクタである。ディテクタ１０１の出力信号である読取信号はＡ／Ｄコンバータ１０２によってディジタル化され、メモリ１０３に蓄えられる。１つのサンプル値である１つのディジタル化読取信号値がメモリ１０３に入力されるとき、メモリコントローラ１０４はそのディジタル化読取信号値の１トラック及び２トラック隣の読取地点において収集されたデータを出力する。図１１において、Ｘが現読取地点の第１読取信号値であり、Ｙが現読取地点からディスク半径方向に１トラック前の読取地点における第２読取信号値であり、Ｚが現読取地点からディスク半径方向に２トラック前の読取地点における第３読取信号値である。これらデータのメモリ１０３における記憶位置は媒体の走査速度とサンプリング間隔から計算することができる。このようにして得られた互いに隣接する地点の３信号値は比較器４１〜４４によって閾値Ｔｈ１及びＴｈ２と比較され、上記した実施例と同様にその論理積をとる条件によって中間時点でのメモリ値を加算していくことにより、平均化を行なう。ここで、オーバフローをさせないためにサンプル数で割る処理等を行なうことも可能である。平均化された信号は差動増幅器８８或いは８９によって差分をとり、クロストーク量或いはこのバランスをとる信号として用いる。ここで、差分をとった上で平均化するような構成とすることも可能である。なお、図１１の回路において図６と同一部分、すなわち比較器４１〜４４、ＡＮＤ回路４５〜４８、Ｓ／Ｈ回路５１〜５４、積分回路５７〜６０及び差動増幅器８８，８９はディジタル信号を処理する回路となっている。
【００４３】
　上記した例において得られたクロストーク量の値にしたがってメモリの出力値を減算することにより、クロストークを０とするサーボ動作をさせることもできる。また、上記した各実施例においては第１閾値Ｔｈ１の方が第２閾値Ｔｈ２より小さい場合について説明をしたが、この値は同一の値を用いても良く、或いは第２閾値Ｔｈ２の方を小さくしても動作させることも可能である。例えば、図１２に示すように、簡易的に同一の閾値Ｔｈ（図５であれば０近傍）を用いたときには、ノイズの影響を受け易くなるが、処理回路を簡略化することができる。なお、図１２の回路では比較器９１，９２の出力信号を反転するインバータ９３，９４が設けられている。このことは以下に示す実施例についても同様である。
【００４４】
　図１３は本発明の実施例として結像検出方式のピックアップ装置のクロストーク検出回路を更に示している。このクロストーク検出回路において、受光素子１３１〜１３３各々は図３及び図４に示した受光器２７の受光素子３４〜３６と同様に、互いに隣接する３トラックのうちの１トラックの像をその受光面に結像するものであり、受光量に応じた電圧値を読取信号値として生成する。受光素子１３１は３トラックのうちの一端トラックの読取信号を生成し、受光素子１３２は３トラックのうちの中央トラックの読取信号を生成し、受光素子１３３は３トラックのうちの他端トラックの読取信号を生成する。受光素子１３１には比較器１３５，１３６が接続され、受光素子１３３には比較器１３７，１３８が接続されている。比較器１３５は受光素子１３１の出力レベルと第１閾値Ｔｈ１とを比較して受光素子１３１の出力レベル＜Ｔｈ１の時、高レベルの出力信号を出力する。比較器１３６は受光素子１３１の出力レベルと第２閾値Ｔｈ２とを比較し受光素子１３１の出力レベル＞Ｔｈ２の時、高レベルの出力信号を出力する。比較器１３７は受光素子１３３の出力レベルと第１閾値Ｔｈ１とを比較し受光素子１３３の出力レベル＜Ｔｈ１の時、高レベルの出力信号を出力する。比較器１３８は受光素子１３３の出力レベルと第２閾値Ｔｈ２とを比較し受光素子１３３の出力レベル＞Ｔｈ２の時、高レベルの出力信号を出力する。
【００４５】
　比較器１３５〜１３８の各出力にはサンプルホールド（Ｓ／Ｈ）回路１３９〜１４２が接続されている。サンプルホールド回路１３９は比較器１３５の高レベル信号に応じて後述のクロストークキャンセル回路１５０の出力レベルを保持し、サンプルホールド回路１４０は比較器１３６の高レベル信号に応じてクロストークキャンセル回路１５０の出力レベルを保持し、サンプルホールド回路１４１は比較器１３７の高レベル信号に応じてクロストークキャンセル回路１５０の出力レベルを保持し、サンプルホールド回路１４２は比較器１３８の高レベル信号に応じてクロストークキャンセル回路１５０の出力レベルを保持する。サンプルホールド回路１３９，１４０には積分回路１４３，１４４を介して差動増幅器１４７が接続されている。差動増幅器１４７は積分回路１４４の出力信号から積分回路１４３の出力信号を減算し、受光素子１３１が像として受光する一端のトラックから受光素子１３２が像として受光する中央のトラックへのクロストーク量を示す信号が差動増幅器１４７から出力される。また、同様に、サンプルホールド回路１４１，１４２には積分回路１４５，１４６を介して差動増幅器１４８が接続されている。差動増幅器１４８は積分回路１４６の出力信号から積分回路１４５の出力信号を減算し、受光素子１３３が像として受光する他端のトラックから中央のトラックへのクロストーク量を示す信号が差動増幅器１４８から出力される。
【００４６】
　クロストークキャンセル回路１５０は、受光素子１３２から出力される実際に読み取るべき中央トラックに対する読取信号に含まれるクロストーク成分を除去する回路であり、ＶＣＡ（電圧制御増幅器）１５１，１５２及び差動増幅器１５３，１５４から構成されている。ＶＣＡ１５１は受光素子１３１の出力信号を差動増幅器１４７の出力信号に応じた利得にて増幅し、ＶＣＡ１５２は受光素子１３３の出力信号を差動増幅器１４８の出力信号に応じた利得にて増幅する。差動増幅器１５３は受光素子１３２の出力信号からＶＣＡ１５１の出力信号を減算し、差動増幅器１５４は差動増幅器１５３の出力信号からＶＣＡ１５２の出力信号を減算する。この差動増幅器１５４の出力信号が中央トラックに対する読取信号に含まれるクロストーク成分を除去した信号であり、上記のサンプルホールド回路１３９〜１４２に供給される。
【００４７】
　かかる構成のクロストーク回路においては、中央トラックに隣接する両トラックの読取信号各々が比較器１３５〜１３８において２つの閾値Ｔｈ１，Ｔｈ２によって３値に判別される。サンプルホールド回路１３９は受光素子１３１からの一端トラックに対する読取信号値がＴｈ１より小であるときの受光素子１３２からの中央トラックに対する読取信号値（正確にはクロストークキャンセル回路１５０によってクロストーク成分が除去された読取信号値であり、以下、サンプルホールド回路１４０〜１４２についても同様である）を保持し、その保持読取信号値が積分回路１４３によって積分される。サンプルホールド回路１４０は受光素子１３１からの一端トラックに対する読取信号値がＴｈ２より大であるときの受光素子１３２からの中央トラックに対する読取信号値を保持し、その保持読取信号値が積分回路１４４によって積分される。サンプルホールド回路１４１は受光素子１３３からの他端トラックに対する読取信号値がＴｈ１より小であるときの受光素子１３２からの中央トラックに対する読取信号値を保持し、その保持読取信号値が積分回路１４５によって積分される。サンプルホールド回路１４２は受光素子１３３からの他端トラックに対する読取信号値がＴｈ２より大であるときの受光素子１３２からの中央トラックに対する読取信号値を保持し、その保持読取信号値が積分回路１４６によって積分される。
【００４８】
　上記の３値のうちのＴｈ１より小の値をＬ、Ｔｈ２より大の値をＨとすると、積分回路１４４の出力信号Ａは一端トラックの読取信号値がＨであるときの中央トラックの読取信号値の積分値であり、積分回路１４３の出力信号Ｂは一端トラックの読取信号値がＬであるときの中央トラックの読取信号値の積分値である。差動増幅器１４７は差分Ａ−Ｂをクロストーク量を示す信号ＣＬとして逐次生成する。また、同様に、積分回路１４６の出力信号Ｃは他端トラックの読取信号値がＨであるときの中央トラックの読取信号値の積分値であり、積分回路１４５の出力信号Ｄは他端トラックの読取信号値がＬであるときの中央トラックの読取信号値の積分値である。差動増幅器１４８は差分Ｃ−Ｄをクロストーク量を示す信号ＣＲとして逐次生成する。
【００４９】
　信号Ａは隣接トラックとしての一端トラックが明るいときの中央トラックの読取信号の平均値を示し、信号Ｂは一端トラックが暗いとき中央トラックの読取信号の平均値を示している。隣接トラックからの中央トラックへのクロストークが全くなければ、信号Ａ，Ｂのいずれも隣接トラックの信号に無関係に中央トラックだけの読取信号の平均レベルを表すことになり、共に同じ値となる。しかしながら、クロストークが存在するならば、信号Ａは隣接トラック（一端トラック）の影響によって大きくなり、信号Ｂはその一端トラックの影響によって小さくなる。よって、差分信号ＣＬは一端トラックからのクロストーク量に対応した値を示すことになる。
【００５０】
　信号Ｃは隣接トラックとしての他端トラックが明るいときの中央トラックの読取信号の平均値を示し、信号Ｄは他端トラックが暗いとき中央トラックの読取信号の平均値を示している。隣接トラックからの中央トラックへのクロストークが全くなければ、信号Ｃ，Ｄのいずれも隣接トラックの信号に無関係に中央トラックだけの読取信号の平均レベルを表すことになり、共に同じ値となる。しかしながら、クロストークが存在するならば、信号Ｃは隣接トラック（他端トラック）の影響によって大きくなり、信号Ｄはその他端トラックの影響によって小さくなる。よって、差分信号ＣＲは他端トラックからのクロストーク量に対応した値を示すことになる。
【００５１】
　ここで、読み取った中央トラックの信号からクロストークを検出し、クロストーク信号の差分によってディスクチルトを制御すれば、レンズの収差などを含めてクロストークがバランスするように制御できるので、チルトセンサよりも良好な信号を得ることができる。また、液晶ピックアップとこのクロストーク検出回路とを併せて使用することにより、クロストークが最小になるように波面制御することができる。
【００５２】
　また、隣接トラックの読取信号に係数を掛けてそれを中央トラックの読取信号から減算し、その減算結果に対してこのクロストーク検出を行ない、その係数をを制御することにより、クロストークを０にするようにサーボをかけることができる。例えば、図１３に示したように、信号ＣＬに応じてＶＣＡ１５１の利得が制御され、受光素子１３１からの読取信号のレベルがＶＣＡ１５１の利得にて増幅される。すなわち、ＶＣＡ１５１においては信号ＣＬに応じた係数を受光素子１３１からの読取信号に乗算することになる。このＶＣＡ１５１の出力値は中央トラックの読取信号中の一端トラックからのクロストーク成分に相当する。一方、信号ＣＲに応じてＶＣＡ１５２の利得が制御され、受光素子１３３からの読取信号のレベルがＶＣＡ１５２の利得にて増幅される。すなわち、ＶＣＡ１５２においては信号ＣＲに応じた係数を受光素子１３３からの読取信号に乗算することになる。このＶＣＡ１５２の出力値は中央トラックの読取信号中の他端トラックからのクロストーク成分に相当する。差動増幅器１５３においては受光素子１３２からの読取信号からＶＣＡ１５１の出力信号を差し引くことによりその一端トラックからのクロストーク成分を減少させたことになる。更に、差動増幅器１５４において差動増幅器１５３の出力信号からＶＣＡ１５２の出力信号を差し引くことにより他端トラックからのクロストーク成分も減少させたことになる。よって、差動増幅器１５４の出力信号は両隣接トラックからのクロストーク成分を減少させた中央トラックの読取信号となる。この読取信号がサンプルホールド１３９〜１４２に供給され、上記の信号ＣＬ，ＣＲが生成されるフィードバック系が形成されているので、結果として中央トラックの読取信号はクロストーク成分が０となるように制御されるのである。
【００５３】
　なお、閾値をＴｈ１，Ｔｈ２の如く２つもつように構成したことには、２つの目的がある。一方は検出感度を上げることである。隣接トラックの変調度が小さい場合には、そのクロストークの影響も少なく、この影響を全て含めて平均化することは感度の低下を招くため、ある程度以上の振幅の信号に対してのみ加算積分を行なうことにより感度の向上が図られている。他方はゲート時間のアロワンスを拡大することである。３Ｔ，４Ｔ等の短ピット／ランドではＭＴＦ特性より振幅が小さく、閾値はこのような長さでは越えないような値に設定される。これにより、ゲートを動作させるピット／ランドに限られることとなるので、特に信号遅延によりゲートをかける場合にはその遅延時間ズレの許容量を拡大させるという効果がある。
【００５４】
　図１４は図１３のクロストーク検出回路を３ビーム方式のピックアップ装置に適用した場合の実施例を示している。この実施例においては、ピックアップ装置の光学系には３つの受光素子１６１〜１６３が備えられている。ディスク上には図１０に示したように３つのスポット光が形成され、受光素子１６２はディスク上の読み取るべきトラック、すなわち中央トラックに形成されたスポット光の反射光を受光し、受光素子１６１は一方の隣接トラック上の先行するスポット光の反射光を受光し、受光素子１６３は他方の隣接トラック上に遅れたスポット光の反射光を受光する。受光素子１６３からの読取信号はそのまま比較器１３５，１３６及びクロストークキャンセル回路１５０に供給されるが、受光素子１６１からの読取信号は遅延素子１６４を介して比較器１３７，１３８及びクロストークキャンセル回路１５０に供給され、受光素子１６２からの読取信号は遅延素子１６５を介してクロストークキャンセル回路１５０に供給される。遅延素子１６４は図１０で示した距離Ｌの２倍に相当する時間を遅延時間とし、遅延素子１６５はその距離Ｌに相当する時間を遅延時間としている。その他のクロストーク検出回路の構成は図１３と同様であり、上記した動作と同様の動作が実行される。
【００５５】
　図１５は図１３のクロストーク検出回路を１ビーム方式のピックアップ装置に適用した場合の実施例を示している。この実施例においては、ピックアップ装置の光学系には１つの受光素子１６６が備えられ、受光素子１６６の出力信号である読取信号はＡ／Ｄコンバータ１６７によってディジタル化された後、メモリ１６８に蓄えられる。１つのサンプル値である１つのディジタル化読取信号値がメモリ１６８に入力されるとき、図示しないメモリコントローラがそのディジタル化読取信号値の１トラック及び２トラック隣の読取地点において収集されたデータを出力する。現読取地点の第１読取信号値は比較器１３５，１３６及びクロストークキャンセル回路１５０に供給される。メモリ１６８に先に記憶された現読取地点からディスク半径方向に１トラック前の読取地点における第２読取信号値はメモリ１６８から読み出されてクロストークキャンセル回路１５０に供給される。メモリ１６８に更に先に記憶された現読取地点からディスク半径方向に２トラック前の読取地点における第３読取信号値は比較器１３７，１３８及びクロストークキャンセル回路１５０に供給される。これらデータのメモリ１６８における記憶位置は媒体の走査速度とサンプリング間隔から計算することができる。その他のクロストーク検出回路の構成は図１３と同様であり、上記した動作と同様の動作が実行される。なお、この図１５の場合、クロストーク検出回路はディジタル信号を処理する回路となっている。
【００５６】
　図１６は図１３のクロストーク回路においてサンプルホールド回路１３９，１４１には中央トラックに対する読取信号をインバータ１７１を介して供給するようにしたものである。サンプルホールド回路１３９，１４０の各出力信号は積分加算回路１７２によって個別に積分された後、互いに加算され、サンプルホールド回路１４１，１４２の各出力信号は積分加算回路１７３によって個別に積分された後、互いに加算される。積分加算回路１７２，１７３からは隣接トラックからのクロストーク量を示す信号が出力される。なお、この積分加算回路１７２，１７３の出力信号を図１３に示したようなクロストークキャンセル回路に供給し、クロストークキャンセル回路の出力信号である、クロストーク成分を減少させた中央トラックの読取信号をサンプルホールド１４０，１４２及びインバータ１７１に供給する構成にしても良い。また、この図１６の構成は３ビーム方式のピックアップ装置、１ビーム方式のピックアップ装置にも適用することができる。
【００５７】
　図１７は本発明の実施例として結像検出方式のピックアップ装置のクロストーク検出回路を更に示している。受光素子１８１〜１８３は図１３の受光素子１３１〜１３３と同様のものである。受光素子１８１〜１８３の各出力にはコンデンサ１８４〜１８６が接続されている。このコンデンサ１８４〜１８６は受光素子１８１〜１８３の出力信号である読取信号中の交流成分を抽出するためのものである。コンデンサ１８４を経た交流成分は比較器１８７において閾値Ｔｈ２と比較され、コンデンサ１８６を経た交流成分は比較器１８８において閾値Ｔｈ２と比較される。コンデンサ１８４を経た交流成分が閾値Ｔｈ２より大きいときにサンプルホールド回路１８９がコンデンサ１８５を経た交流成分を保持し、その保持された交流成分は積分回路１９１によって積分されて累算回路１９３で累算される。すなわち、コンデンサ１８５で読取信号の直流成分はカットされるので、中央トラックの読取信号の平均値は０となり、累算回路１９３から得られる信号は一方の隣接トラックから中央トラックへのクロストーク量を示すのである。同様に、コンデンサ１８６を経た交流成分が閾値Ｔｈ２より大きいときにサンプルホールド回路１９０がコンデンサ１８５を経た交流成分を保持し、その保持された交流成分は積分回路１９２によって積分されて累算回路１９４で累算される。累算回路１９４から得られる信号は他方の隣接トラックから中央トラックへのクロストーク量を示すのである。
【００５８】
　なお、この実施例においては受光素子１８１〜１８３の出力信号中の交流成分を抽出するためにコンデンサ１８４〜１８６が用いられているが、これに限らず、例えば、オペアンプを含むハイパスパスフィルタを用いても良い。図１８は図１７の構成で得られたクロストーク量を示す信号に応じて中央トラックに対する読取信号に含まれるクロストーク成分を除去するクロストークキャンセル回路１９５を設けた例を示している。クロストークキャンセル回路１９５は図１３に示したクロストークキャンセル回路１５０と同様にＶＣＡ１９６，１９７及び差動増幅器１９８，１９９を有している。
【００５９】
　図１９は図１８のクロストーク検出回路を３ビーム方式のピックアップ装置に適用した場合の実施例を示している。この実施例においては、ピックアップ装置の光学系には３つの受光素子２０１〜２０３が備えられている。この受光素子２０１〜２０３は図１４で示した受光素子１６１〜１６３と同様のものである。受光素子２０３からの読取信号はそのままコンデンサ１８４に供給されるが、受光素子２０１からの読取信号は遅延素子２０４を介してコンデンサ１８６に供給され、受光素子２０２からの読取信号も遅延素子２０５を介してコンデンサ１８５に供給される。遅延素子２０４は図１０で示した距離Ｌの２倍に相当する時間を遅延時間とし、遅延素子２０５はその距離Ｌに相当する時間を遅延時間としている。その他のクロストーク検出回路の構成は図１７又は図１８と同様であり、上記した動作と同様の動作が実行される。
【００６０】
　図２０は図１８のクロストーク検出回路を１ビーム方式のピックアップ装置に適用した場合の実施例を示している。この実施例においては、ピックアップ装置の光学系には１つの受光素子２０６が備えられ、受光素子２０６の出力信号である読取信号はＡ／Ｄコンバータ２０７によってディジタル化された後、メモリ２０８に蓄えられる。１つのサンプル値である１つのディジタル化読取信号値がメモリ２０８に入力されるとき、図示しないメモリコントローラがそのディジタル化読取信号値の１トラック及び２トラック隣の読取地点において収集されたデータを出力する。現読取地点の第１読取信号値はコンデンサ１８４に供給される。メモリ２０８に先に記憶された現読取地点からディスク半径方向に１トラック前の読取地点における第２読取信号値はメモリ２０８から読み出されてコンデンサ１８５に供給される。メモリ２０８に更に先に記憶された現読取地点からディスク半径方向に２トラック前の読取地点における第３読取信号値はコンデンサ１８６に供給される。これらデータのメモリ２０８における記憶位置は媒体の走査速度とサンプリング間隔から計算することができる。その他のクロストーク検出回路の構成は図１７又は図１８と同様であり、上記した動作と同様の動作が実行される。なお、この図２０の場合、クロストーク検出回路はディジタル信号を処理する回路となっている。
【００６１】
　また、上記した図１７〜図２０の各実施例においては、比較器１８７，１８８の閾値としてＴｈ２を用いているが、比較器１８７，１８８ではコンデンサからの入力信号が閾値Ｔｈ１より小となったときにゲート信号を各々発生し、それによってサンプルホールド回路１８９，１９０が保持動作を行なうように構成しても良い。
【００６２】
　上記した各実施例において中央トラックの読取信号をほとんどはアナログ処理するような系について説明したが、いずれの実施例においても読取信号をディジタル値に変換して同様の機能を満たすように処理を行うことも可能であり、更には、ピックアップ装置内の上記したクロストーク検出回路等の回路を信号復調など他の機能を持った処理回路と一緒に作ることもむろん可能である。
【００６３】
　また、上記した各実施例においては、中央トラックの読取信号だけを出力するようにしたが、隣接トラックの信号からも同様にクロストークを取り除くことができるので、複数のトラック信号を同時に読み出すように構成することもできる。また、本発明は従来より知られる他のクロストークや傾き検出装置と併用することも無論可能であり、又は本発明によって得られたチルト検出信号（クロストークバランス）をもって、従来よりある駆動機構を調整し、傾きを打ち消すように構成することもできる。また、クロストーク量の判定結果をもって、ディスクの基板厚を調べるように構成することも基板厚の誤差による影響を補正することも可能である。
【００６４】
　上記した各実施例における閾値の値はディスクの種類や作られ方、用いられる光源波長、開口数などによって適宜可変することができ、信号の非対称性など形状によって可変したり、特定パターンの再生波形から調べることや、または信号復調時の誤り率によって可変するなど、いろいろな構成が可能である。なお、実施の形態においては、光ディスクを記録媒体とした例について説明したが、記録媒体の形状はディスクに限らず、カード状であっても良い。
【００６５】
　以上説明したように、本発明によれば、比較的簡単な回路を用いて光ピックアップ装置のにおいて得らた１トラック及びその隣接トラックに対する読取信号から１トラックに対する読取信号への隣接トラックからのクロストーク量とそのバランスレベルを知ることができ、更にはそのクロストークを除去するように動作させることができる。よって、傾きがあるようなディスクを再生する場合においても良好な信号再生が可能である。更に、ディスク上に特定のクロストーク検出用パターンを入れる必要がないので信号容量を犠牲にせずに高密度化を行うことが可能になるなど、非常に大きな効果を奏する。
【図面の簡単な説明】
【００６６】
【図１】従来のピックアップ装置に用いられているディスク傾き検出器を示す図である。
【図２】本発明による光学式ピックアップ装置の光学系を示す概略図である。
【図３】受光器の受光面を示す図である。
【図４】本発明によるピックアップ装置のクロストーク検出回路を示す図である。
【図５】読取信号のアイパターンを示す図である。
【図６】本発明によるピックアップ装置のクロストーク検出回路を示す図である。
【図７】本発明によるピックアップ装置のクロストーク除去部分の構成を示すブロック図である。
【図８】逆行列演算回路の具体的構成を示すブロック図である。
【図９】本発明による３ビームを用いるピックアップ装置のクロストーク検出回路を示す図である。
【図１０】ディスク上における３ビームスポット光の位置関係を示す図である。
【図１１】本発明による１ビームを用いるピックアップ装置のクロストーク検出回路を示す図である。
【図１２】本発明によるピックアップ装置のクロストーク検出回路の変形例を示す図である。
【図１３】本発明による結像検出方式のピックアップ装置のクロストーク検出回路を示す図である。
【図１４】本発明による３ビームを用いるピックアップ装置のクロストーク検出回路を示す図である。
【図１５】本発明による１ビームを用いるピックアップ装置のクロストーク検出回路を示す図である。
【図１６】図１３のクロストーク検出回路の変形例を示す図である。
【図１７】本発明による結像検出方式のピックアップ装置のクロストーク検出回路を示す図である。
【図１８】図１７のクロストーク検出回路にクロストークキャンセル回路を備えた構成を示す図である。
【図１９】本発明による３ビームを用いるピックアップ装置のクロストーク検出回路を示す図である。
【図２０】本発明による１ビームを用いるピックアップ装置のクロストーク検出回路を示す図である。
【符号の説明】
【００６７】
　１３，１４，２７，６１　受光器
　４１〜４４，７４，７５，９１，９２　比較器
　４９，９３，９４，１７１　インバータ
　６２　逆行列演算回路
　６３　信号抽出回路
　６４　クロストーク検出回路
　８０，８１　セレクタ
　１５０，１９５　クロストークキャンセル回路
【図１】
2004146061.tif 000004
【図２】
2004146061.tif 000005
【図３】
2004146061.tif 000006
【図４】
2004146061.tif 000007
【図５】
2004146061.tif 000008
【図６】
2004146061.tif 000009
【図７】
2004146061.tif 000010
【図８】
2004146061.tif 000011
【図９】
2004146061.tif 000012
【図１０】
2004146061.tif 000013
【図１１】
2004146061.tif 000014
【図１２】
2004146061.tif 000015
【図１３】
2004146061.tif 000016
【図１４】
2004146061.tif 000017
【図１５】
2004146061.tif 000018
【図１６】
2004146061.tif 000019
【図１７】
2004146061.tif 000020
【図１８】
2004146061.tif 000021
【図１９】
2004146061.tif 000022
【図２０】
2004146061.tif 000023